(57)【要約】【課題】灯具を配置した空間からの灯具内部への空気の出入りを防止し、しかも天井の内部空間から灯具内部に水滴が浸入することのない照明器具を提供する。【解決手段】灯具１は天井面に対して取付パッキン２１を介して水密的に取り付けられる。天井材Ｃには貫通孔２２が形成され、灯具１の上面には貫通孔２２を通して天井の内部空間に一部が挿入される導入筒１７ｂが突設される。導入筒１７ｂには天井の内部空間と灯具１の内部空間との間で接続電線Ｌｈが挿通され、さらに導入筒１７ｂの上端面には空気抜孔１７ｃが開口する。導入筒１７ｂの上部には空気抜孔１７ｃを覆う形でキャップ２０が嵌着される。キャップ２０の内周面と導入筒１７ｃの外周面との間には天井の内部空間と空気抜孔１７ｃとの間で空気の流通を可能とする隙間Ｇが形成される。【選択図】　　　　図１
2004039302.tif 000002
【特許請求の範囲】
【請求項１】
天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が挿通される導入筒と、接続電線が水密的に挿通され導入筒の先端部に嵌着されるキャップとを備え、導入筒の先端面には天井または壁の内部空間と灯具の内部空間との間で空気の流通を可能にする空気抜孔が開口し、キャップは空気抜孔への上方からの水滴の浸入を防止する形で空気抜孔を覆うとともに導入筒の外周面とキャップの内周面との間に天井または壁の内部空間と空気抜孔との間で空気の流通を可能とする隙間を形成することを特徴とする照明器具。
【請求項２】
天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が挿通される導入筒と、接続電線が水密的に挿通され導入筒の先端部に嵌着されるキャップとを備え、導入筒におけるキャップの下方であって上方からの水滴の浸入をキャップにより避けることができる部位に天井または壁の内部空間と灯具の内部空間との間で空気の流通を可能にする空気抜孔が開口することを特徴とする照明器具。
【請求項３】
天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が水密的に挿通される導入筒と、天井または壁の内部空間と灯具の内部空間との間で空気の流通を可能にするように導入筒に開口する空気抜孔から延設された空気抜管とを備え、空気抜管において天井または壁の内部空間に開放された開口面の法線が空気抜管の内側から外側に向かって水平面に対して下向きであって、かつ前記開口面の下端と空気抜管の軸線とを含む鉛直面内における空気抜管の軸線方向の中間部に前記開口面の下端に連続し前記開口面の下端よりも上に位置する部位が形成されていることを特徴とする照明器具。
【請求項４】
天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が挿通される導入筒とを備え、天井または壁の内部空間と灯具の内部空間との間で導入筒を通して空気の流通を可能にするように導入筒の内側の断面積は接続電線の断面積よりも大きく形成され、導入筒において天井または壁の内部空間に開放された開口面の法線が導入筒の内側から外側に向かって水平面に対して下向きであって、かつ前記開口面の下端と導入筒の軸線とを含む鉛直面内における導入筒の軸線方向の中間部に前記開口面の下端に連続し前記開口面の下端よりも上に位置する部位が形成されていることを特徴とする照明器具。
【発明の詳細な説明】
【０００１】
【発明の属する技術分野】
本発明は、天井または壁に取り付けられ比較的湿度の高い環境に灯具を露出させて使用することができる防湿型の照明器具に関するものである。
【０００２】
【従来の技術】
一般に、浴室や屋外のように比較的湿度の高い環境で使用する照明器具は水密性を有した灯具を備え、この灯具を浴室や屋外に露出させた形で、天井面または壁面に対して取付パッキンを用いて水密的に取り付けられる。一方、灯具に接続する接続電線は、灯具が露出する天井または壁の外部空間に比較して低湿度である内部空間（天井裏や壁内）に配線される。したがって、灯具を取り付ける天井材または壁材には内外に貫通する貫通孔が形成され、貫通孔を通して灯具の一部または全部が天井または壁の外部空間に露出することになる。
【０００３】
【発明が解決しようとする課題】
ところで、この種の照明器具に用いる灯具は上述のように水密性を有しているものであるから、灯具に収納したランプの点灯・消灯によって灯具の内部温度が変化すると灯具内部の圧力が変化し、灯具の一部に隙間があると灯具内部に空気が出入りすることになる。つまり、灯具において天井または壁の外部空間に露出する部位に隙間があるとすれば、天井または壁の外部空間から多湿の空気が灯具内部に入る可能性があり、灯具の内部に収納されているランプや点灯装置のような電気回路が湿気の影響によって故障を生じる可能性が高くなる。
【０００４】
本発明は上記事由に鑑みて為されたものであり、その目的は、天井や壁の内部空間のように比較的低湿度である空間に連通する空気抜孔を灯具に形成することによって多湿である空間からの灯具内部への空気の出入りを防止し、しかも天井や壁の内部空間に結露が生じたとしても灯具内部に水滴が浸入することのない照明器具を提供することにある。
【０００５】
【課題を解決するための手段】
請求項１の発明は、天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が挿通される導入筒と、接続電線が水密的に挿通され導入筒の先端部に嵌着されるキャップとを備え、導入筒の先端面には天井または壁の内部空間と灯具の内部空間との間で空気の流通を可能にする空気抜孔が開口し、キャップは空気抜孔への上方からの水滴の浸入を防止する形で空気抜孔を覆うとともに導入筒の外周面とキャップの内周面との間に天井または壁の内部空間と空気抜孔との間で空気の流通を可能とする隙間を形成することを特徴とする。
【０００６】
請求項２の発明は、天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が挿通される導入筒と、接続電線が水密的に挿通され導入筒の先端部に嵌着されるキャップとを備え、導入筒におけるキャップの下方であって上方からの水滴の浸入をキャップにより避けることができる部位に天井または壁の内部空間と灯具の内部空間との間で空気の流通を可能にする空気抜孔が開口することを特徴とする。
【０００７】
請求項３の発明は、天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が水密的に挿通される導入筒と、天井または壁の内部空間と灯具の内部空間との間で空気の流通を可能にするように導入筒に開口する空気抜孔から延設された空気抜管とを備え、空気抜管において天井または壁の内部空間に開放された開口面の法線が空気抜管の内側から外側に向かって水平面に対して下向きであって、かつ前記開口面の下端と空気抜管の軸線とを含む鉛直面内における空気抜管の軸線方向の中間部に前記開口面の下端に連続し前記開口面の下端よりも上に位置する部位が形成されていることを特徴とする。
【０００８】
請求項４の発明は、天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が挿通される導入筒とを備え、天井または壁の内部空間と灯具の内部空間との間で導入筒を通して空気の流通を可能にするように導入筒の内側の断面積は接続電線の断面積よりも大きく形成され、導入筒において天井または壁の内部空間に開放された開口面の法線が導入筒の内側から外側に向かって水平面に対して下向きであって、かつ前記開口面の下端と導入筒の軸線とを含む鉛直面内における導入筒の軸線方向の中間部に前記開口面の下端に連続し前記開口面の下端よりも上に位置する部位が形成されていることを特徴とする。
【０００９】
【発明の実施の形態】
以下に説明する実施形態では、浴室の天井に灯具を配設する場合を想定して、灯具の上面と天井下面との間に取付パッキンを挟装することによって灯具を天井面に対して水密的に取り付け、さらに天井面と取付パッキンとの接触面が全周を囲む範囲内で貫通孔を形成しているものとする。
【００１０】
（第１の実施の形態）
本実施形態に用いる灯具１は、図１に示すように、下面が開放された浅い有底円筒状である器具本体１１と、器具本体１１の下面側に水密的に結合され器具本体１１とともにランプ１０を囲むグローブ１２とを備える。グローブ１２はガラスないし合成樹脂成形品であって透光性を有し、グローブ１２の上端部外側面に形成した外ねじ部１２ａを器具本体１１の内側面に設けたねじ受け部１１ａに螺合させるとともに、器具本体１１とグローブ１２との間にグローブパッキン１３を挟装することによって、器具本体１１とグローブ１２とが水密的に結合されている。器具本体１１の下面側には塗装鋼板からなる取付板１４が取り付けられ、取付板１４にはランプ１０を接続するソケット１５およびランプ１０に電力を供給する点灯装置１６が取り付けられる。
【００１１】
具体的に説明すると、図２に示すように、器具本体１１の底板中央部には、器具本体１１の内底面との間で本体パッキン１７を挟持するパッキン押さえ板１８が固定され、さらに本体パッキン１７およびパッキン押さえ板１８を器具本体１１の内底面との間で囲むように取付板１４が固定される。
【００１２】
本体パッキン１７はゴム弾性を有する材料により形成され、板状の主板１７ａの中央部に主板１７ａの厚み方向の両面に突出する円筒状の導入筒１７ｂを連続一体に形成した形状を有する。導入筒１７ｂは主として主板１７ａの上面側に突出する。導入筒１７ｂの下面は開放され、導入筒１７ｂの上面には図３に示すように導入筒１７ｂの内外を連通させる４個の空気抜孔１７ｃが開口するとともに、電源線およびアース線を含む３本の接続電線Ｌｈ（図１参照）が挿通される３個の電線挿入孔１７ｄが開口する。空気抜孔１７ｃは電線挿入孔１７ｄとともに対称性を持つように配列される。本実施形態の照明器具は灯具１から口出線として接続電線Ｌｈを外部に引き出すものを想定している。電線挿入孔１７ｄは各接続電線Ｌｈが水密的に挿通されるように開口寸法が設定されている。空気抜孔１７ｃおよび電線挿入孔１７ｄの機能については後述する。主板１７ａにおける導入筒１７ｂの近傍部位には複数個の固定用孔１７ｅが穿孔され、また主板１７ａにおいて外周縁の近傍部位には複数個の挿通孔１７ｆが穿孔される。
【００１３】
パッキン押さえ板１８は、本体パッキン１７の主板１７ａの略全面に亘って当接する底板１８ａを有し、本体パッキン１７の主板１７ａの外周を囲む囲み壁１８ｂが底板１８ａの周縁から突出する形状に形成されている。底板１８ａには、本体パッキン１７の固定用孔１７ｅに対応する部位に固定用孔（図示せず）が穿孔され、本体パッキン１７の挿通孔１７ｆに対応する部位に挿通孔（図示せず）が穿孔される。固定用孔の周囲は下向きに突出するようにバーリング加工が施されることにより立ち上がり部１８ｃが形成されている。
【００１４】
取付板１４は本体パッキン１７と押さえ板１８とを器具本体１１の内底面との間で囲むことができるように浅箱状に形成されている。すなわち、器具本体１１の内底面に対向する底板１４ａを有し、底板１４ａの周縁の全周に亘って周壁１４ｂが連続一体に立ち上がり、さらに周壁１４ｂの全周には器具本体１１の内底面に当接する当接片１４ｃが連続一体に延長された形状に形成されている。底板１４ａにはパッキン押さえ板１８に設けた立ち上がり部１８ｃが挿入される位置決め孔（図示せず）が穿孔され、さらに本体パッキン１７の挿通孔１７ｆに対応する部位に挿通孔（図示せず）が穿孔される。
【００１５】
しかるに、器具本体１１の底板中央部に設けた露出孔１１ｂに本体パッキン１７の導入筒１７ｂを挿通するとともに、本体パッキン１７の主板１７ａを押さえ板１８と器具本体１１の内底面との間に挟み、さらに取付板１４に押さえ板１８の立ち上がり部１８ｃを挿入して取付板１４を位置決めした状態で、取付板１４の当接片１４ｃを器具本体１１の底板中央部に当接させ、器具本体１１の底板の上面から固定用孔１７ｅに挿通される組立ねじ１９ａと、組立ねじ１９ａに螺合する組立ナット１９ｂとを用いて、本体パッキン１７と押さえ板１８と取付板１４とが器具本体１１に結合される。
【００１６】
灯具１を浴室の天井に取り付ける際には、図１に示すように、天井材Ｃにおいて灯具１を取り付けようとする部位に貫通孔２１を形成し、天井材Ｃの下面（天井面）における貫通孔２１の周囲と器具本体１１との間に取付パッキン２２を挟装して灯具１を天井面に水密的に取り付ける。器具本体１１は取付板１４の下面側から挿通孔１７ｆに挿通される取付ねじ２３を用いて天井材Ｃに対して定位置に固定される。ここに、取付ねじ２３は取付パッキン２２に形成した挿通孔２２ａにも挿通され、天井材Ｃの上面側に固定されたアウトレットボックス（図示せず）に取付ねじ２３を螺合させることによって、器具本体１１が天井材Ｃに対して定位置に固定される。
【００１７】
ところで、本体パッキン１７に設けた導入筒１７ｂの上端面は円形であり、図４に示すように、３個の電線挿入孔１７ｄが中心を通る一直線上に開口する。また、空気抜孔１７ｃは電線挿入孔１７ｄが並ぶ直線を挟んで２個ずつ開口している。図４（ｂ）を見ればわかるように、空気抜孔１７ｃは口軸方向の位置にかかわらず断面積が一定であって、電線挿入孔１７ｄについては口軸方向における上端側（図４（ｂ）の右側）が下端側よりも断面積を小さくするように口軸方向の中間部において段差を有している。つまり、上述のように接続電線Ｌｈは内側から外側に向かって引き出しているから、電線挿入孔１７ｄの下端側の断面積を上端側よりも大きくすることによって接続電線Ｌｈを電線挿入孔１７ｄに挿入できるようにし、しかも接続電線Ｌｈに電線挿入孔１７ｄの内周面を密着させることを可能としているのである。電線挿入孔１７ｄを上述した形状に形成したことによって電線挿入孔１７ｄに挿通される接続電線Ｌｈの外周面に電線挿入孔１７ｄの内周面の一部を密着させることができ、接続電線Ｌｈを導入筒１７ｄの内部に導入する部位の水密性を確保することができる。また、灯具１を施工する際にはグローブパッキン１３と本体パッキン１７と取付パッキン２２とを用いるから、灯具１の内部空間は実質的に空気抜孔１７ｃのみで外部に連通する。したがって、ランプ１０の点灯・消灯に伴って温度変化が生じると空気抜孔１７ｃを通して灯具１の内外に空気が流通することになる。空気抜孔１７ｃは天井材Ｃの上側の空間、つまり天井の内部空間に開放されており、本実施形態のように浴室に灯具１を配置するとすれば天井の内部空間のほうが浴室内に比べて湿度が大幅に少ないから、灯具１の内部空間に浴室から多湿の空気が導入されることがなく、灯具１の内部に収納されている電気回路が湿気によって劣化する可能性を大幅に低減することができる。
【００１８】
ここに、天井材Ｃに灯具１を取り付ける場合には空気抜孔１７ｃが導入筒１７ｄの上面に開口するから、天井の内部空間において結露が生じたときに、結露により生じた水滴が、空気抜孔１７ｃを通して灯具１の内部に浸入するおそれが生じる。そこで、本実施形態では、導入筒１７ｂに被せるキャップ２０を設けている。キャップ２０は、図５に示すように、導入筒１７ｂよりも外径の大きい有底円筒状となるようにゴム弾性を有する材料により形成され、底壁には接続電線Ｌｈを挿通するための３個の電線用孔２０ａが穿孔されている。電線用孔２０ａは底壁の中心を通る一直線上に配列されており、導入筒１７ｂに設けた電線挿入孔１７ｄと同様に上端側（図５（ｂ）の右側）の断面積が下端側よりも小さくなるように口軸方向の中間部において段差を有している。つまり、電線用孔２０ａも電線挿入孔１７ｄと同様に下端側から接続電線Ｌｈを容易に挿入できるようにし、しかも上端側において接続電線Ｌｈの外側面に電線用孔２０ａの内側面を密着させるのである。
【００１９】
キャップ２０の内周面には周方向の複数箇所（図示例では６箇所）から保持リブ２０ｂが突設される。キャップ２０の内周面からの保持リブ２０ｂの突出寸法は、キャップ２０の上下方向（図５（ｂ）の左右方向）の中間部に形成した段差部２０ｃを介して上端側が下端側よりも大きくなっている。保持リブ２０ｂの上端側の突出寸法は、キャップ２０を導入筒１７ｂに嵌着したときに段差部２０ｃが導入筒１７ｂの上面に載るように設定され、結果的に導入筒１７ｂの上面とキャップ２０の内底面との間に隙間が形成されるようにしてある。また、保持リブ２０ｂはキャップ２０の内周面の周方向において適宜間隔で複数個設けてあるから、キャップ２０の周方向において保持リブ２０ｂは離間しており、導入筒１７ｂにキャップ２０を嵌着した状態において導入筒１７ｂの外周面とキャップ２０の内周面との間にも隙間Ｇが形成される。つまり、図６のように、導入筒１７ｂにキャップ２０を嵌着した状態では、灯具１の内部空間と天井の内部空間とが導入筒１７ｂに形成した空気抜孔１７ｃとキャップ２０の内側の隙間Ｇとキャップ２０の下面の開口とを通して連通するから、灯具１の内部空間と天井の内部空間との間で図６に経路イとして示すように空気を流通させることができ、空気抜孔１７ｃを覆うキャップ２０を設けているにもかかわらず、灯具１の内部空間への湿気の流入を抑制する効果は維持される。また、導入筒１７ｂにキャップ２０を嵌着した状態ではキャップ２０の下面を通して空気が流通するから、キャップ２０の外部の空間で結露などにより生じた水滴は図６に経路ロとして示すようにキャップ２０の内部に浸入することがなく、結果的に空気抜孔１７ｃからの灯具１内部への水滴の浸入を防止できる。なお、接続電線Ｌｈは、導入筒１７ｂの電線挿入孔１７ｄおよびキャップ２０の電線用孔２０ａに挿通され、電線挿入孔１７ｄおよび電線用孔２０ａの内径は接続電線Ｌｈの外径よりも小さく設定されているから、電線挿入孔１７ｄおよび電線用孔２０ａは接続電線Ｌｈを水密的に挿通させることになり電線挿入孔１７ｄおよび電線用孔２０ａを通して水滴が浸入することはない。
【００２０】
本実施形態では、接続電線Ｌｈを灯具１から口出線として外部に引き出した例を示したが、外部電線を接続電線Ｌｈとして灯具１の内部に引き込み、灯具１の内部に設けた端子台に接続電線Ｌｈを接続する形式の照明器具を採用してもよい。この種の照明器具に用いる端子台には、鎖錠ばねのばね力によって接続電線Ｌｈの電気的接続および機械的保持を行う速結端子や、端子ねじを用いて接続電線Ｌｈを接続するねじ付き端子などが用いられる。この構成の場合に、図７のように、ＶＶＦケーブルのように複数本の絶縁被覆電線を１つの絶縁シース内に収めた電線ケーブルを接続電線Ｌｈとして用い、電線挿入孔１７ｄと電線用孔２０ａとを１個ずつ設けるようにすればよい。また、上述した例では、空気抜孔１７ｃと電線挿入孔１７ｄとを個別に設けているが、図８のように、導入筒１７ｂの上面に形成した空気抜孔１７ｄの開口径を接続電線Ｌｈの外径よりも十分に大きくとり、空気抜孔１７ｃを電線挿入孔１７ｄとして兼用してもよい。図８には外部電線としての電線ケーブルを接続電線Ｌｈに用いる例を示しているが、灯具１から引き出した口出線を接続電線Ｌｈに用いる場合も図８に示すように空気抜孔１７ｃと電線挿入孔１７ｄとを兼用する構成を採用することができる。
【００２１】
さらに、上述した構成例ではキャップ２０がゴム弾性を有する材料で形成されているが、本体パッキン１７がゴム弾性を有しているから、キャップ２０はゴム弾性を持たない材料で形成してもよい。さらに、器具本体１１に設けた露出孔１１ｂと本体パッキン１７との間の隙間から浸水するおそれがなければ、本体パッキン１７の材料がゴム弾性を有していることも必須というわけではない。さらにまた、器具本体１１の底板中央部が上方に突出するように絞り加工を施すことによって導入筒１７ｂを形成する場合には、本体パッキン１７およびパッキン押さえ板１８は不要になる。
【００２２】
上述した構成例では、導入筒１７ｃとキャップ２０と水平断面における外形を円形としているが、円形であることは必須ではなく他の形状を採用することも可能であり、さらに空気抜孔１７ｃや電線挿入孔１７ｄの配置についても上述のような均等間隔の配置である必要はなく、導入筒１７ｂの上面であれば適宜の位置に設けることが可能である。
【００２３】
（第２の実施の形態）
本実施形態は、図９に示すように、導入筒１７ｂの側壁に空気抜孔１７ｃを穿孔したものである。空気抜孔１７ｃは図示例ではキャップ２０の下端よりも下方に位置している。図によって明らかなように、導入筒１７ｂの外径よりもキャップ２０の外径のほうが大きく、かつキャップ２０は空気抜孔１７ｃの上方に位置するから、キャップ２０が空気抜孔１７ｃに対しては傘として機能し、キャップ２０の外部の空間で結露などにより生じた水滴は、図９に経路ロで示すようにキャップ２０の外側を通り、空気抜孔１７ｃから浸入することがないのである。一方、灯具１の内部空間と天井の内部空間とは空気抜孔１７ｃを通して連通しているから、灯具１の内部空間において圧力変化が生じたときには図９に示す経路イを通って、天井の内部空間と灯具１の内部空間との間で空気が流通するのであって、浴室の空気が灯具１の内部に導入されることはなく、灯具１の内部に多湿の空気が流入するのを防止することができる。他の構成および機能は第１の実施の形態と同様である。
【００２４】
（第３の実施の形態）
本実施形態は、第１の実施の形態において用いたキャップ２０に代えて図１０のように空気抜孔１７ｃの上端縁から延長した空気抜管２４を設けたものである。したがって、図１１に示すように、本実施形態ではキャップ２０は省略されている。図１０に示す構成では空気抜管２４は可撓性材料により形成される。空気抜管２４において空気抜孔１７ｃから遠い方の一端（つまり、空気抜管２４の先端）に形成された開口面は、開口面の法線が空気抜管２４の内側から外側に向かって水平面Ｈ（図１２参照）よりも下向きになるように（図１２に法線の向きを矢印Ｎで示している）向きが設定される。つまり、開口面の最下端の上方を空気抜管２４の他の部分が覆うのである。空気抜管２４の軸線は湾曲しており上記開口面と軸線とを含む鉛直面内（つまり、図１２の面内）で湾曲部分の内側になる曲線（以下、「谷線」という）における最高点が空気抜管２４の軸線方向の中間部に位置するように形成される。つまり、開口面を通して水滴が空気抜管２４に浸入したとしても、谷線の最高点が開口面よりも内側に位置するから水滴が空気抜孔１７ｃに達する可能性が少ないのである。
【００２５】
図１２に示すように、空気抜管２４の開口面が鉛直面に対してなす角度が比較的小さい場合を想定する。この構成では、空気抜管２４の開口面の法線を空気抜管２４の内側から外側に向かって水平面Ｎに対して下向きにしたことにより（図１２に法線の向きを矢印Ｎで示している）、開口面の最下端の上方が開口面の近傍における空気抜管２４の一部で覆われるから、空気抜孔１７ｇの上方から落下する水滴が開口面を通して空気抜孔１７ｇに浸入する可能性を低減することができる。また、図１２に点Ａとして示す開口面の最下端よりも点Ｂとして示す谷線の最高点の位置ほうが高いから、仮に空気抜管２４の開口面から水滴が浸入したとしても谷線の最高点に達することがなく、灯具１への浸水を防止することができる。ここに、図１２に示す例は空気抜管２４の軸線の方向が９０度程度変化するものであるが、空気抜管２４の軸線の方向をさらに大きく変化させて空気抜管２４をたとえばＵ字状などに形成すれば、空気抜管２４の開口面をほぼ下向きにすることが可能であって、水滴の浸入の可能性をより低減することができる。このような構成でも上述した２条件は満たされる。他の構成および動作は第１の実施の形態と同様である。なお、本実施形態では空気抜管２４を可撓性材料で形成しているが、可撓性を持たない材料で形成してもよいのはもちろんのことである。
【００２６】
（第４の実施の形態）
本実施形態は、図１３に示すように、本体パッキン１７の円筒状の導入筒１７ｂに代えて本体パッキン１７と一体に逆Ｊ字状に曲成された導入筒１７ｇを設けたものである。導入筒１７ｇの一端は灯具１の内部空間に連通し、導入筒１７ｇの他端は天井の内部空間に開放される。導入筒１７ｇにおける上記他端に形成された開口面は下向きに開放される。導入筒１７ｇには接続電線Ｌｈが挿通され、しかも導入筒１７ｇの内側の断面積を接続電線Ｌｈの合計の断面積よりも大きくしてある。したがって、導入筒１７ｇには接続電線Ｌｈが挿通されるだけではなく、灯具１の内部空間と天井の内部空間との間で空気を流通させる経路にもなる。導入筒１７ｇの上記開口面は図１４に示すように下向きに開放されているから、天井の内部空間において水滴が導入筒１７ｇに落下したとしても、図１４に経路ロとして示すように水滴は導入筒１７ｇの外側を通り、導入筒１７ｇの内部に水滴が浸入する可能性は少ない。また、導入筒１７ｇが逆Ｊ字状に形成され、導入筒１７ｇの軸線に沿った中間部に最高点があるから、仮に導入筒１７ｇに水滴が浸入したとしても灯具１に浸水する可能性はほとんどない。具体的には、導入筒１７ｇの開口面に図１５に示す形で接続電線Ｌｈを挿入したときに導入筒１７ｇの内周面のうち接続電線Ｌｈの下面が当接する点Ｃよりも、接続電線Ｌｈの上面が当接する点Ｄのほうが下側に位置するように、開口面の位置が設定されている。この構成によって開口面を通って灯具１の中に水滴が浸入するのを防止することができる。他の構成および動作は第１の実施の形態と同様である。なお、本実施形態に用いる導入筒１７ｇは本体パッキン１７の一部としてゴム弾性を有する材料により形成するほか、剛性を有する材料により形成してもよい。
【００２７】
なお、上述した各実施形態は灯具１を浴室に配置することを想定して説明したが、他の場所に灯具１を配置してもよいのはもちろんのことであって、たとえば屋外において軒天井に灯具１を取り付けるようにしてもよい。また、必ずしも天井に取り付ける必要はなく、壁面に灯具１を取り付ける場合であっても、空気抜孔１７ｄの位置、キャップ２０の形状、空気抜筒２４ないし導入筒１７ｇの形状および開口面の向きを適宜に変更することによって、本発明の技術思想を適用することが可能である。
【００２８】
【発明の効果】
請求項１の発明は、天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が挿通される導入筒と、接続電線が水密的に挿通され導入筒の先端部に嵌着されるキャップとを備え、導入筒の先端面には天井または壁の内部空間と灯具の内部空間との間で空気の流通を可能にする空気抜孔が開口し、キャップは空気抜孔への上方からの水滴の浸入を防止する形で空気抜孔を覆うとともに導入筒の外周面とキャップの内周面との間に天井または壁の内部空間と空気抜孔との間で空気の流通を可能とする隙間を形成したものであり、灯具の内部空間と天井または壁の内部空間とを空気抜孔を介して連通させるから、灯具の点灯・消灯に伴って灯具の内部空間の圧力が変化したとしても灯具の内部には天井または壁の内部空間の空気が流通するだけであって、たとえば浴室や屋外に灯具が配置される場合でも多湿の空気が灯具の内部に浸入することがなく、灯具内の電気回路が湿気の影響を受ける可能性が少ないのである。しかも、キャップによって空気抜孔への水滴の浸入を防止しているから、天井または壁の内部空間において結露による水滴が生じても空気抜孔に浸水することがない。
【００２９】
請求項２の発明は、天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が挿通される導入筒と、接続電線が水密的に挿通され導入筒の先端部に嵌着されるキャップとを備え、導入筒におけるキャップの下方であって上方からの水滴の浸入をキャップにより避けることができる部位に天井または壁の内部空間と灯具の内部空間との間で空気の流通を可能にする空気抜孔が開口するものであり、灯具の内部空間と天井または壁の内部空間とを空気抜孔を介して連通させるから、灯具の点灯・消灯に伴って灯具の内部空間の圧力が変化したとしても灯具の内部には天井または壁の内部空間の空気が流通するだけであって、たとえば浴室や屋外に灯具が配置される場合でも多湿の空気が灯具の内部に浸入することがなく、灯具内の電気回路が湿気の影響を受ける可能性が少ないのである。しかも、キャップによって空気抜孔への水滴の浸入を防止しているから、天井または壁の内部空間において結露による水滴が生じても空気抜孔に浸水することがない。
【００３０】
請求項３の発明は、天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が水密的に挿通される導入筒と、天井または壁の内部空間と灯具の内部空間との間で空気の流通を可能にするように導入筒に開口する空気抜孔から延設された空気抜管とを備え、空気抜管において天井または壁の内部空間に開放された開口面の法線が空気抜管の内側から外側に向かって水平面に対して下向きであって、かつ前記開口面の下端と空気抜管の軸線とを含む鉛直面内における空気抜管の軸線方向の中間部に前記開口面の下端に連続し前記開口面の下端よりも上に位置する部位が形成されているものであり、灯具の内部空間と天井または壁の内部空間とを空気抜孔および空気抜管を介して連通させるから、灯具の点灯・消灯に伴って灯具の内部空間の圧力が変化したとしても灯具の内部には天井または壁の内部空間の空気が流通するだけであって、たとえば浴室や屋外に灯具が配置される場合でも多湿の空気が灯具の内部に浸入することがなく、灯具内の電気回路が湿気の影響を受ける可能性が少ないのである。しかも、空気抜管の開口面を上述の条件で形成するから、空気抜管からの水滴の浸入が防止され、天井または壁の内部空間において結露による水滴が生じても灯具に浸水することがない。
【００３１】
請求項４の発明は、天井面または壁面に対して水密的に取り付けられる器具本体および器具本体とともにランプを水密的に囲むグローブを備える灯具と、天井材または壁材に形成した貫通孔を通して天井または壁の内部空間に一部が挿入され天井または壁の内部空間と灯具の内部空間との間で接続電線が挿通される導入筒とを備え、天井または壁の内部空間と灯具の内部空間との間で導入筒を通して空気の流通を可能にするように導入筒の内側の断面積は接続電線の断面積よりも大きく形成され、導入筒において天井または壁の内部空間に開放された開口面の法線が導入筒の内側から外側に向かって水平面に対して下向きであって、かつ前記開口面の下端と導入筒の軸線とを含む鉛直面内における導入筒の軸線方向の中間部に前記開口面の下端に連続し前記開口面の下端よりも上に位置する部位が形成されたものであり、灯具の内部空間と天井または壁の内部空間とを導入筒を介して連通させるから、灯具の点灯・消灯に伴って灯具の内部空間の圧力が変化したとしても灯具の内部には天井または壁の内部空間の空気が流通するだけであって、たとえば浴室や屋外に灯具が配置される場合でも多湿の空気が灯具の内部に浸入することがなく、灯具内の電気回路が湿気の影響を受ける可能性が少ないのである。しかも、導入筒の開口面を上述の条件で形成するから、導入筒からの水滴の浸入が防止され、天井または壁の内部空間において結露による水滴が生じても灯具に浸水することがない。さらに、導入筒の内側の断面積を接続電線の断面積よりも大きくし、かつ接続電線を導入筒に挿通しているから、灯具の内外において導入筒と接続電線との間の隙間を通して空気が流通し、灯具の内外の空気の流通を確保し灯具内への浸水を防止するために導入筒のみを設ければよいのであって、構成が簡単であるという利点がある。
【図面の簡単な説明】
【図１】本発明の第１の実施の形態を示す一部切欠した側面図である。
【図２】同上の要部分解側面図である。
【図３】同上の要部を示し、（ａ）はキャップを外した斜視図、（ｂ）はキャップを装着した斜視図である。
【図４】同上に用いる導入筒を示し、（ａ）は下面図、（ｂ）は断面図、（ｃ）は平面図である。
【図５】同上に用いるキャップを示し、（ａ）は下面図、（ｂ）は断面図、（ｃ）は平面図である。
【図６】同上の要部断面図である。
【図７】同上の変形例を示す要部斜視図である。
【図８】同上の変形例を示す要部斜視図である。
【図９】本発明の第２の実施の形態を示す要部断面図である。
【図１０】本発明の第３の実施の形態を示す要部断面図である。
【図１１】同上の一部切欠した側面図である。
【図１２】同上の要部断面図である。
【図１３】本発明の第４の実施の形態を示す一部切欠した側面図である。
【図１４】同上の要部側面図である。
【図１５】同上の要部側面図である。
【符号の説明】
１　灯具
１１　器具本体
１２　グローブ
１７ｂ　導入筒
１７ｃ　空気抜孔
２０　キャップ
２１　貫通孔
２２　取付パッキン
２４　空気抜管
Ｃ　天井材
Ｇ　隙間
Ｌｈ　接続電線
【図１】
2004039302.tif 000003
【図２】
2004039302.tif 000004
【図３】
2004039302.tif 000005
【図４】
2004039302.tif 000006
【図５】
2004039302.tif 000007
【図６】
2004039302.tif 000008
【図７】
2004039302.tif 000009
【図８】
2004039302.tif 000010
【図９】
2004039302.tif 000011
【図１０】
2004039302.tif 000012
【図１１】
2004039302.tif 000013
【図１２】
2004039302.tif 000014
【図１３】
2004039302.tif 000015
【図１４】
2004039302.tif 000016
【図１５】
2004039302.tif 000017